(57)【要約】【課題】遊技者に遊技に対する興味をもたせることが出来る、新規な構造の遊技機を提供することを目的とする。【解決手段】所定の演出パターンを選択した回数を計数する選択回数計数手段を有していると共に、選択回数計数手段が計数した選択回数が所定回数に達した場合（Ｓ２６：ＹＥＳ）には高確率状態を開始する一方、高確率状態の存続期間を監視する存続期間監視手段が高確率状態の存続期間中に複数の変動図柄１８ａ〜ｃの変動回数が所定回数に達したと判定した場合（Ｓ１０：ＹＥＳ）又は高確率状態の存続期間中に特別遊技状態が発生したと判定した場合（Ｓ１５：ＹＥＳ）には高確率状態を終了する条件付高確率状態制御手段を有するようにした。【選択図】      図１４
2004275356.tif 000002
【特許請求の範囲】
【請求項１】
遊技球が始動入賞口に入賞することにより遊技領域に設けられた図柄表示装置にて複数の変動図柄が変動し、遊技者に有利な特別遊技状態が発生する場合には該複数の変動図柄が少なくとも二つの特別図柄組み合わせの何れかで停止するようになっており、それら特別図柄組み合わせのうちの特定の図柄の組み合わせによって構成された特定図柄組み合わせで該複数の変動図柄が停止すると該特定図柄組み合わせで停止した際の特別遊技状態の終了後に特別遊技状態が発生する確率が高くなる高確率状態が発生する遊技機において、
前記複数の変動図柄が変動する際の演出パターンを少なくとも二つ有しており、それらの演出パターンから所定の演出パターンを選択した回数を計数する選択回数計数手段を有していると共に、該選択回数計数手段が計数した選択回数が所定回数に達した場合には前記高確率状態を開始する一方、該高確率状態の存続期間を監視する存続期間監視手段が該高確率状態の存続期間中に前記複数の変動図柄の変動回数が所定回数に達したと判定した場合又は該高確率状態の存続期間中に前記特別遊技状態が発生したと判定した場合には該高確率状態を終了する条件付高確率状態制御手段を有していることを特徴とする遊技機。
【請求項２】
前記図柄表示装置における前記複数の変動図柄の変動を制御する表示制御部と、該表示制御部に該図柄表示装置における該複数の変動図柄の変動制御を行わせるために該表示制御部を制御する一方、前記特別遊技状態および前記高確率状態の発生を制御する主制御部を有しており、該主制御部に対して、前記選択回数計数手段と前記存続期間監視手段と前記条件付高確率状態制御手段が設けられている請求項１に記載の遊技機。
【請求項３】
前記所定の演出パターンが所定回数選択されたことに起因する前記高確率状態の発生および該高確率状態の存続期間を遊技者に報知するための高確率状態報知手段を有している請求項１又は２に記載の遊技機。
【請求項４】
所定の条件を満たしてからの前記複数の変動図柄の変動回数を計数する変動回数計数手段を有していると共に、該変動回数計数手段が計数した変動回数が予め定められた回数に達した場合には前記選択回数計数手段が計数した選択回数を初期値にする選択回数初期化手段を有している請求項１乃至３の何れかに記載の遊技機。
【請求項５】
前記変動回数計数手段と前記選択回数初期化手段が前記主制御部に設けられている請求項４に記載の遊技機。
【発明の詳細な説明】
【０００１】
【技術分野】
本発明は、遊技球が始動入賞口に入賞することにより遊技領域に設けられた図柄表示装置にて複数の変動図柄が変動し、遊技者に有利な特別遊技状態が発生する場合には複数の変動図柄が少なくとも二つの特別図柄組み合わせの何れかで停止するようになっており、それら特別図柄組み合わせのうちの特定の図柄の組み合わせによって構成された特定図柄組み合わせで複数の変動図柄が停止すると特定図柄組み合わせで停止した際の特別遊技状態の終了後に特別遊技状態が発生する確率が高くなる高確率状態が発生する遊技機に関するものである。
【０００２】
【背景技術】
従来から、遊技球が始動入賞口に入賞することにより遊技領域に設けられた図柄表示装置にて複数の変動図柄が変動し、遊技者に有利な特別遊技状態が発生する場合には複数の変動図柄が少なくとも二つの特別図柄組み合わせの何れかで停止する遊技機が提案されている。
【０００３】
また、近年の遊技機には、遊技者に遊技に対する興味をもたせて遊技を継続させるための工夫が凝らされており、例えば、遊技球が始動入賞口に入賞することにより遊技領域に設けられた図柄表示装置にて複数の変動図柄が変動し、遊技者に有利な特別遊技状態が発生する場合には複数の変動図柄が少なくとも二つの特別図柄組み合わせの何れかで停止するようになっており、更に、特別遊技状態の終了後に特別遊技状態が発生する確率が高くなる高確率状態が発生する遊技機が提案されている（例えば、特許文献１参照）。
【０００４】
ところで、このような遊技機では、遊技者は特別遊技状態が発生しなければ高確率状態での遊技が出来ないのであり、また、高確率状態が発生していない場合の特別遊技状態が発生する確率は、１／２００以下に設定されているのが一般的であることから、特別遊技状態が発生するまでの遊技時間が長くなってしまう可能性があり、それによって、遊技者に遊技に対する興味をもたせ難くなってしまい、その結果、遊技を継続しようという考えを起こさせ難いという問題がある。
【０００５】
【特許文献１】
特許第２６１９８１５号
【０００６】
【解決課題】
ここにおいて、本発明は、上述の如き事情を背景として為されたものであって、その解決課題とするところは、遊技者に遊技に対する興味をもたせることが出来る、新規な構造の遊技機を提供することにある。
【０００７】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【０００８】
本発明の第一の態様は、遊技球が始動入賞口に入賞することにより遊技領域に設けられた図柄表示装置にて複数の変動図柄が変動し、遊技者に有利な特別遊技状態が発生する場合には該複数の変動図柄が少なくとも二つの特別図柄組み合わせの何れかで停止するようになっており、それら特別図柄組み合わせのうちの特定の図柄の組み合わせによって構成された特定図柄組み合わせで該複数の変動図柄が停止すると該特定図柄組み合わせで停止した際の特別遊技状態の終了後に特別遊技状態が発生する確率が高くなる高確率状態が発生する遊技機において、前記複数の変動図柄が変動する際の演出パターンを少なくとも二つ有しており、それらの演出パターンから所定の演出パターンを選択した回数を計数する選択回数計数手段を有していると共に、該選択回数計数手段が計数した選択回数が所定回数に達した場合には前記高確率状態を開始する一方、該高確率状態の存続期間を監視する存続期間監視手段が該高確率状態の存続期間中に前記複数の変動図柄の変動回数が所定回数に達したと判定した場合又は該高確率状態の存続期間中に前記特別遊技状態が発生したと判定した場合には該高確率状態を終了する条件付高確率状態制御手段を有していることを、特徴とする。
【０００９】
このような本態様に従う構造とされた遊技機においては、所定の演出パターンを選択した回数を計数する選択回数計数手段が計数した選択回数が所定回数に達した場合には、条件付高確率状態制御手段が高確率状態を開始するようになっていることから、高確率状態でない場合であって、且つ、特別遊技状態が発生していない場合であっても遊技者に遊技に対する興味をもたせることが可能となり、それによって、遊技者に遊技を継続しようという考えを抱かせることが可能となる。
【００１０】
すなわち、本態様に係る遊技機においては、遊技者に特別遊技状態が終了した後に高確率状態が発生する楽しみのみならず、高確率状態でない場合であって、且つ、特別遊技状態が発生していない場合でも高確率状態が発生する楽しみを与えることが出来るのであり、それによって、遊技者に遊技に対する興味をもたせて遊技を継続しようという考えを抱かせることが出来る。
【００１１】
そこにおいて、本態様に係る遊技機においては、所定の演出パターンが所定回数選択された場合に高確率状態が発生するようになっていることから、例えば、所定の演出パターンが所定回数選択された際に高確率状態を発生させるか否かの判定を行い、かかる判定結果に基づいて高確率状態を発生させるか否かを決定する場合に比して、遊技者を落胆させないようにすることが可能となり、それによって、遊技者に遊技を継続しようとする考えを抱かせることが可能となる。また、本態様における所定回数は、一回であっても良いが、二回以上であることが望ましく、それによって、遊技者に遊技に対する興味を与えつつ、遊技機が設置されたホールの利益と遊技者の利益のバランスを保つことが可能となる。即ち、高確率状態が発生すると特別遊技状態が発生しやすくなることから、遊技ホールの損失が多くなってしまうわけであるが、所定回数を２回以上に設定しておくことにより、高確率状態が発生するまでに遊技者もある程度の遊技球を消費することとなり、それによって、遊技者の利益とホールの利益のバランスを維持することが出来ることとなる。
【００１２】
また、本態様にかかる遊技機においては、高確率状態の存続期間を監視する存続期間監視手段が高確率状態の存続期間中、即ち、高確率状態を開始してからの複数の変動図柄の変動回数が所定回数に達したと判断した場合や高確率状態の存続期間中に特別遊技状態が発生したと判断した場合には、条件付高確率状態制御手段が高確率状態を終了するようになっていることから、特別遊技状態が終了した後に速やかに発生する高確率遊技状態と異なり、所定の演出パターンが所定回数選択されることに起因して発生する高確率状態での遊技が期間限定の如何に特殊な遊技であるかを遊技者に認識せしめることが可能となり、それによって、遊技者に特別遊技状態が終了した後に高確率状態が発生する楽しみのみならず、高確率状態でない場合であって、且つ、特別遊技状態が発生していない場合でも高確率状態が発生する楽しみを与えることが出来るのであり、その結果、遊技者に遊技に対する興味をもたせて遊技を継続しようという考えを抱かせることが出来る。
【００１３】
さらに、本態様に係る遊技機においては、所定の演出パターンが所定回数選択されることに起因して発生する高確率状態の存続期間が限定されていることから、遊技者の利益と遊技ホールの利益のバランスを維持することが出来る。
【００１４】
さらに、本態様に係る遊技機においては、高確率状態の存続期間中に複数の変動図柄が所定回数変動したと存続期間監視手段が判定した場合に条件付高確率状態制御手段が高確率状態を終了するようになっていることから、例えば、高確率状態の存続期間を高確率状態開始からの時間で判断する場合に比して、複数の変動図柄の変動時間が異なることに起因する遊技者間の不公平をなくすことが可能となる。
【００１５】
更にまた、本態様に係る遊技機においては、高確率状態の存続期間中に特別遊技状態が発生したと存続期間監視手段が判定した場合に条件付高確率状態制御手段が高確率状態を終了するようになっていることから、所定の演出パターンが所定回数選択されたことに起因して発生する高確率状態が不必要に長く継続することを防止することが可能となり、それによって、遊技者の利益と遊技機が設置されたホールの利益のバランスを維持することが可能となる。
【００１６】
なお、本態様における図柄表示装置とは、少なくとも複数の変動図柄が変動している状態および複数の変動図柄が停止している状態を表示できるものであれば良く、例えば、数種類の図柄が外周面に設けられたドラムを複数個用い、かかる複数個のドラムを各別に回転および停止せしめるものであっても良いし、ＣＲＴやＬＣＤ等のように表示画面を有するものであっても良い。
【００１７】
また、本態様における複数の変動図柄は、変動を開始してから略同じ時間で停止するようにすることも可能であるが、所定の時間差で順次停止することが望ましく、それによって、遊技者の興味を図柄表示装置に引き付けることが可能となる。更に、複数の変動図柄が所定の時間差で順次停止する場合には、それら複数の変動図柄が停止する間隔を短くすることが望ましく、それによって、複数の変動図柄が変動を開始してから最初に停止する変動図柄が停止するまでの時間を最も長くすることが可能となり、遊技者の興味を図柄表示装置に引き付けることが容易に可能となる。
【００１８】
更にまた、本態様における特別遊技状態とは、例えば、遊技領域に設けられて入賞領域への入口が開閉可能な可変入賞装置の入口を開状態にして遊技者に有利な状態とし、その開状態が所定時間又は所定個数入賞するまで続き、更に、開状態中に入賞領域に設けられた継続用入賞口に遊技球が入賞する限りは、かかる開状態を所定回数繰り返すもの等をいう。
【００１９】
また、本態様における特別図柄組み合わせとは、遊技者に対して特別遊技状態が発生することを報知するための複数の変動図柄の図柄組み合わせをいうものとし、例えば、「７７７」等の所謂「ゾロ目」等で構成しても良いし、他の組み合わせで構成しても良い。
【００２０】
さらに、本態様における高確率状態とは、複数の変動図柄の変動が停止した際の図柄組み合わせが特別図柄組み合わせとなる確率が高い状態や、複数の変動図柄が変動する時間が短くされて所定時間（例えば１分間）あたりの複数の変動図柄の変動回数が増えることにより複数の変動図柄が停止した際の図柄組み合わせが特別図柄組み合わせとなる可能性が高くなる状態，始動入賞口の入口が拡大可能とされており、始動入賞口の入口が拡大された状態が通常の遊技状態よりも長くなって所定時間（例えば１分間）あたりの複数の変動図柄の変動回数が増えることにより複数の変動図柄が停止した際の図柄組み合わせが特別図柄組み合わせとなる可能性が高くなる状態等をいい、これらの状態は、一つだけ採用することも可能であるし、二つ以上を組合わせて採用することも可能である。また、本態様における高確率状態は、特別遊技状態が終了した後に速やかに発生する場合と、所定の演出パターンが所定回数選択された場合とで、複数の変動図柄の変動が停止した際の図柄組み合わせが特別図柄組み合わせとなる確率を変化させるようにしても良い。
【００２１】
また、本態様における特定図柄組み合わせとは、特別遊技状態が終了した後に高確率状態が発生することを遊技者に報知するための図柄組み合わせであって、少なくとも二つの特別図柄組み合わせのうちのいくつかをいうものであり、例えば、特別図柄組み合わせが１０種類あり、その図柄組み合わせが、「０００」，「１１１」，「２２２」，「３３３」，「４４４」，「５５５」，「６６６」，「７７７」，「８８８」，「９９９」である場合には、それら１０種類のうちの奇数のゾロ目、即ち、「１１１」，「３３３」，「５５５」，「７７７」，「９９９」をいうものである。
【００２２】
さらに、本態様における選択回数計数手段，存続期間監視手段および条件付高確率状態制御手段は、何れも、例えば、ＣＰＵがプログラムに従って所定の制御処理を実行すること等で実現することが出来る。
【００２３】
また、本態様における演出パターンとは、複数の変動図柄が変動している際の図柄表示装置の表示内容のみならず、遊技機に設けられたスピーカから出力される効果音や遊技機に設けられた電飾ランプ等の点灯や点滅等をいうものとする。
そこにおいて、複数の変動図柄が変動している際の図柄表示装置の表示内容とは、例えば、複数の変動図柄の変動時間，変動内容等によって構成される複数の変動図柄の変動パターンや、複数の変動図柄の変動中に所定のキャラクタが出現したり、背景が所定の背景に変化した場合に特別遊技状態が発生する可能性があることを予告する予告パターン等をいう。更に、本態様における所定の演出パターンとは、予め定められた演出パターンをいうものとし、かかる予め定められた演出パターンは、一つであっても良いし、複数であっても良い。
【００２４】
本発明の第二の態様は、前記第一の態様に係る遊技機において、前記図柄表示装置における前記複数の変動図柄の変動を制御する表示制御部と、該表示制御部に該図柄表示装置における該複数の変動図柄の変動制御を行わせるために該表示制御部を制御する一方、前記特別遊技状態および前記高確率状態の発生を制御する主制御部を有しており、該主制御部に対して、前記選択回数計数手段と前記存続期間監視手段と前記条件付高確率状態制御手段が設けられていることを、特徴とする。このような本態様に従う構造とされた遊技機においては、所定の演出パターンが所定回数選択されたことに起因する高確率状態の発生および消滅に関与する選択回数計数手段と存続期間監視手段と条件付高確率状態制御手段が、表示制御部による複数の変動図柄の変動制御，特別遊技状態および高確率状態の発生の制御を行う主制御部に設けられていることから、所定の演出パターンが所定回数選択されたことに起因する高確率状態の発生および消滅に関して、外部のノイズの影響を受け難くすることが可能となり、それによって、目的とする高確率状態の発生および消滅を有利に実現することが可能となる。
【００２５】
また、本態様に従えば、例えば、特別遊技状態を不正に発生させることを目的とする不正行為を阻止するために従来から主制御部に施されている不正行為防止用の方策を、そのまま利用して所定の演出パターンが所定回数選択されることが発生の根拠となる高確率状態を不正に発生させることを目的とする不正行為を有利に防止することが可能となる。
【００２６】
なお、本態様における表示制御部とは、制御ＣＰＵと主制御部からの制御コマンドに基づいて制御ＣＰＵに図柄表示装置の作動制御を行わせる制御プログラムや制御データ等が記憶されたＲＯＭを含んで構成されている。また、本態様における主制御部とは、制御ＣＰＵ，制御プログラムや制御データ等が記憶されたＲＯＭおよび処理データ等が記憶されるＲＡＭを含んで構成される。
【００２７】
本発明の第三の態様は、前記第一又は第二の態様に係る遊技機において、前記所定の演出パターンが所定回数選択されたことに起因する前記高確率状態の発生および該高確率状態の存続期間を遊技者に報知するための高確率状態報知手段を有していることを、特徴とする。このような本態様に従う構造とされた遊技機においては、高確率状態報知手段が所定の演出パターンが所定回数選択されたことに起因する高確率状態の発生およびかかる高確率状態の存続期間を遊技者に報知するようになっていることから、遊技者に対して、所定の演出パターンが所定回数選択されたことに起因して発生する高確率状態下での遊技が如何に特殊な遊技であるかを認識させることが容易に可能となり、それによって、遊技者に所定の演出パターンが所定回数選択されたことに起因して発生する高確率状態下で行う遊技に対する楽しみを与えることが可能となる。
【００２８】
なお、本態様における高確率状態報知手段としては、例えば、ＣＰＵがプログラムに従って所定の制御処理を実行すること等で実現することが出来る。また、高確率状態を報知する方法としては、例えば、スピーカから所定のメッセージを出力して音声により遊技者に報知する方法や、図柄表示装置に所定のメッセージを表示して遊技者に報知する方法，ランプやＬＥＤの発光，点滅，点灯等で遊技者に報知する方法，発射ハンドルを振動せしめることで遊技者に報知する方法等が、何れも採用可能である。そこにおいて、存続期間の報知は、高確率状態の開始時のみ行っても良いし、存続期間中継続して行っても良い。
【００２９】
本発明の第四の態様は、前記第一乃至第三の何れかの態様に係る遊技機において、所定の条件を満たしてからの前記複数の変動図柄の変動回数を計数する変動回数計数手段を有していると共に、該変動回数計数手段が計数した変動回数が予め定められた回数に達した場合には前記選択回数計数手段が計数した選択回数を初期値にする選択回数初期化手段を有していることを、特徴とする。このような本態様に従う構造とされた遊技機においては、変動回数計数手段が計数した所定条件が満たされてからの複数の変動図柄の変動回数が予め定められた回数に達した場合には、選択回数初期化手段が選択回数計数手段が計数した選択回数を初期値にするようになっていることから、予め定められた期間内に所定の演出パターンが所定回数選択されない場合には高確率状態が発生しないようにすることが可能となり、それによって、所定の演出パターンが所定回数選択されることに起因して発生する高確率状態下での遊技が如何に特殊な遊技であるかを遊技者に認識させることが可能となる。
【００３０】
なお、本態様における「所定の条件」とは、遊技を行うことによって発生する状況等であって予め定められたものをいい、例えば、特別遊技状態の終了や所定の演出パターンとは異なる演出パターンの選択，所定の演出パターンが所定回数選択されたことに起因して発生した高確率状態の終了，複数の変動図柄の変動が所定数まで保留可能とされている場合に変動保留球数が所定数に達したこと等が、何れも採用可能である。
【００３１】
また、本態様における変動回数計数手段や選択回数初期化手段は、何れも、例えば、ＣＰＵがプログラムに従って所定の制御処理を実行すること等で実現することが出来る。
【００３２】
本発明の第五の態様は、前記第四の態様に係る遊技機において、前記変動回数計数手段と前記選択回数初期化手段が前記主制御部に設けられていることを、特徴とする。このような本態様に従う構造とされた遊技機においては、予め定められた期間、即ち、所定の条件を満たしてからの複数の変動図柄の変動回数が所定回数に達するまでの間に所定の演出パターンが所定回数選択されなかった場合には高確率状態を発生させないようにする変動回数計数手段と選択回数初期化手段が、表示制御部による複数の変動図柄の変動制御，特別遊技状態および高確率状態の発生の制御を行う主制御部に設けられていることから、予め定められた期間内に所定の演出パターンが所定回数選択されなかった場合に高確率状態を発生させないことに関して、外部のノイズの影響を受け難くすることが可能となる。
【００３３】
また、本態様に従えば、例えば、特別遊技状態を不正に発生させることを目的とする不正行為を阻止するために従来から主制御部に施されている不正行為防止用の方策を、そのまま利用して所定の条件を満たしてからの複数の変動図柄の変動回数が所定回数に達するまでの間に所定の演出パターンが所定回数選択されなかった場合であっても選択回数計数手段が計数した選択回数を初期値にしないようにすること等を目的とする不正行為を有利に防止することが可能となる。
【００３４】
【発明の実施形態】
以下、本発明を更に具体的に明らかにするために、本発明の実施形態について、図面を参照しつつ、詳細に説明する。
【００３５】
先ず、図１には、本発明の第一の実施形態としてのパチンコ機１０が示されている。このパチンコ機１０は、遊技球が始動入賞口１２に入賞することにより遊技領域１４に設けられた図柄表示装置としての特別図柄表示装置１６にて複数（本実施形態では３つ）の変動図柄としての特別図柄１８ａ〜ｃが変動し、遊技者に有利な特別遊技状態としての大当たり遊技状態が発生する場合には複数の特別図柄１８ａ〜ｃが複数（本実施形態では１０通り）の特別図柄組み合わせとしての大当たり図柄組み合わせの何れかで停止するようになっており、それら複数の大当たり図柄組み合わせのうちの特定の図柄で構成された特定図柄組み合わせとしての確変図柄組み合わせで停止すると、かかる確変図柄組み合わせで停止した際の大当たり遊技状態が終了した後に大当たり遊技状態が発生する確率が高くなる高確率状態としての高確率遊技状態が発生するようになっている。
【００３６】
より詳細には、パチンコ機１０は、中枠２０を備えており、かかる中枠２０が幅方向一方の端部を中心に回動可能な状態で外枠２２に装着されている。また、中枠２０の前面には、横長な長方形状の皿板２４が幅方向一方の端部を中心に回動可能に装着されており、かかる皿板２４の前面には、遊技球を貯留するための上皿２６が固定されている。更に、中枠２０の前面には、上皿２６の下方において、下皿２８が固定されている。この下皿１８は、パチンコ機１０の裏側において、上皿２６に連通せしめられており、上皿２６内から溢れた遊技球が上皿２６内から下皿２８内に排出されるようになっている。
【００３７】
また、下皿２８の右側には、発射ハンドル３０が回動可能に装着されており、かかる発射ハンドル３０の裏側には、発射モータ（図示せず）が装着されている。この発射モータの回転軸には、図示しないクランク機構を介して図示しない打球槌が連結されており、発射ハンドル３０が周方向一方の側に回動操作せしめられることによって発射モータに電源が与えられ、打球槌が上皿２６内に貯留された遊技球を弾き出すようになっている。
【００３８】
さらに、中枠２０の前面には、ガラス枠３２が幅方向一方の端部を中心に回動可能に装着されている。また、中枠２０の後ろ側には、遊技領域１４を形成する遊技盤３４を保持するための額縁状の機構盤（図示せず）が固定されており、かかる機構盤によって遊技盤３４が保持された状態下において、遊技盤３４は、ガラス枠３２によって保持されたガラス窓で覆われている。更に、ガラス枠３２の幅方向他方の端部には、枠鍵３６が装着されており、かかる枠鍵３６によって中枠２０を外枠２２に対して密着した状態に保持するようになっていると共に、皿板２４とガラス枠３２を中枠２０に密着した状態に保持するようになっている。
【００３９】
また、遊技盤３４の前面には、外レール３８および内レール４０が設けられており、打球槌によって弾かれた遊技球は、外レール３８および内レール４０の間を通って遊技盤３４の上部に案内されるようになっている。そして、遊技盤３４の上部に案内された遊技球は、遊技盤３４の前面に打ち込まれた図示しない複数の遊技釘に当たりながら落下するようになっている。
【００４０】
さらに、遊技盤３４の前面には、額縁状の台板４２が固定されており、かかる台板４２には、特別図柄表示装置１６が固定されている。特別図柄表示装置１６は、カラー液晶表示器からなるものであり、特別図柄表示装置１６には、「０」、「１」〜「９」の数字図柄が横３列に表示されるようになっており、これらの数字図柄によって、特別図柄１８ａ〜ｃが構成されている。なお、本実施形態では、複数の特別図柄１８ａ〜ｃの変動が開始すると、左特別図柄１８ａ，右特別図柄１８ｃ，中特別図柄１８ｂの順番で、停止するようになっている。
【００４１】
また、台板４２の前面側には、有色透明なセンター飾り４４が設けられており、かかるセンター飾り４４に設けられた表示窓から、特別図柄表示装置１６の作動保留球数を示す複数（本実施形態では４つ）の特図記憶表示ＬＥＤ４６ａ〜ｄの点灯および消灯が視認出来るようになっている。
【００４２】
また、遊技盤３４の前面には、特別図柄表示装置１６の下方に位置して始動入賞口１２が設けられている。この始動入賞口１２は、上側が開口するポケット状をなすものであり、始動入賞口１２内には、始動口スイッチ４８（図２参照）が設けられている。この始動口スイッチ４８は、近接スイッチによって構成されており、始動入賞口１２内に遊技球が入賞したことを検出して検出信号を出力するようになっている。
【００４３】
また、遊技盤３４の前面には、始動入賞口１２の下方に位置して横長の入賞口用台板５０が固定されており、かかる入賞口用台板５０の長手方向中央部分には、大入賞口５２が形成されている。更に、大入賞口５２内には、大入賞口カウントスイッチ５４（図２参照）および特定領域カウントスイッチ５６（図２参照）が設けられている。これら大入賞口カウントスイッチ５４および特定領域カウントスイッチ５６は、何れも、近接スイッチによって構成されている。そして、大入賞口カウントスイッチ５４が遊技球の通過を検出すると、検出信号を出力するようになっている一方、特定領域カウントスイッチ５６が遊技球の通過を検出すると、検出信号を出力するようになっている。また、大入賞口５２の前面には、扉５８が軸を中心に回動可能に装着されている。この扉５８は、入賞口用台板５０の裏側に固定された大入賞口ソレノイド６０（図２参照）のプランジャにクランク機構を介して連結されている。そして、扉５８は、大入賞口ソレノイド６０への断電時には、大入賞口５２の入口を塞ぐようになっている一方、大入賞口ソレノイド６０への通電時には、大入賞口５２の入口を開放するようになっている。
【００４４】
このようなパチンコ機１０は、図２に示されているような主制御回路６２によって、その遊技が全体的に制御されるようになっている。この主制御回路６２には、主制御回路６２を制御するＣＰＵ６４，制御プログラムや制御処理に必要なデータ等を格納するためのＲＯＭ６６，各種処理データ等を格納するためのＲＡＭ６８，入力ポート７０および出力ポート７２が設けられており、これらＣＰＵ６４，ＲＯＭ６６，ＲＡＭ６８，入力ポート７０および出力ポート７２は、バス線７３で相互に接続されている。また、入力ポート７０には、始動口スイッチ４８や大入賞口カウントスイッチ５４，特定領域カウントスイッチ５６等が接続されている。更に、出力ポート７２には、特別図柄表示装置１６での表示制御を行う表示制御回路７４，大入賞口ソレノイド６０を駆動するための大入賞口ソレノイド駆動回路７６，特図記憶表示ＬＥＤ４６〜ｄの点灯および消灯を制御するための特図記憶表示ＬＥＤ制御回路７８等が接続されている。なお、表示制御回路７４は、ＣＰＵとプログラムや制御データ等が記憶されたＲＯＭを含んで構成されている。また、図面上では、特図記憶表示ＬＥＤ制御回路７８には、一つの特図記憶表示ＬＥＤしか接続されていないようにみえるが、４つの特図記憶表示ＬＥＤ４６ａ〜ｄが接続されている。
【００４５】
また、ＲＡＭ６８には、所定周期で発生する割り込み信号毎に「０」〜「３５９」まで繰り返し１ずつ加算される特別遊技状態判定カウンタとしての大当たり判定カウンタ８０ａ，所定周期で発生する割り込み信号毎に「０」〜「９」までの繰り返し１ずつ加算されされる大当たり図柄カウンタ８０ｂ，所定周期で発生する割り込み信号毎に「０」〜「７」まで繰り返し１ずつ加算されるリーチ判定用カウンタ８０ｃ，所定周期で発生する割り込み信号毎に「０」〜「７」まで繰り返し１ずつ加算される変動パターン選択カウンタ８０ｄ，所定周期で発生する割り込み信号毎に「０」〜「９」まで繰り返し１ずつ加算される左図柄カウンタ８０ｅ，所定周期で発生する割り込み信号毎に「０」〜「９」まで繰り返し１ずつ加算される中図柄カウンタ８０ｆ，所定周期で発生する割り込み信号毎に「０」〜「９」まで繰り返し１ずつ加算される右図柄カウンタ８０ｇ等が設けられている。これら各カウンタ８０ａ〜ｇは、何れも、「０」〜「上限値」まで繰り返し１ずつ加算された後、再び「０」に戻るようになっている。
【００４６】
また、ＲＡＭ６８には、特別図柄表示装置１６で複数の特別図柄１８ａ〜ｃが変動している状態や大当たり遊技状態が発生し大当たり映像が表示されている状態で始動口スイッチ４８が遊技球の始動入賞口１２への入賞を検出した場合には、変動保留球数を所定数（本実施形態では４つ）までカウントした数値が格納される保留カウンタ８０ｈが設けられている。この保留カウンタ８０ｈは、変動開始不可能な状態で遊技球が始動入賞口１２に入賞する毎に１ずつ加算されていく一方、複数の特別図柄１８ａ〜ｃの変動処理が開始される毎に、或いは、複数の特別図柄１８ａ〜ｃが停止する毎に１ずつ減算されていくようになっている。そして、特図記憶表示ＬＥＤ制御回路７８を介して、保留カウンタ８０ｈのカウンタ値に対応した数だけ特図記憶表示ＬＥＤ４６ａ〜ｄが点灯するようになっている。
【００４７】
さらに、ＲＡＭ６８には、大当たり遊技状態が発生する確率が高い高確率遊技状態であるか否かを示す高確率遊技状態カウンタ８０ｉが設けられている。この高確率遊技状態カウンタ８０ｉは、高確率遊技状態が発生している場合には「１」が格納される一方、高確率遊技状態が発生していない場合には「０」が格納されるようになっている。更にまた、ＲＡＭ６８には、後述する「喧嘩凧リーチＣ」がリーチハズレ変動パターンとして選択される毎に１ずつ加算されていく選択回数カウンタ８０ｊが設けられている。更に、ＲＡＭ６８には、複数の特別図柄１８ａ〜ｃが変動開始可能であるか否かを示す変動開始可能カウンタ８０ｋが設けられている。この変動開始可能カウンタ８０ｋは、複数の特別図柄１８ａ〜ｃの変動開始が可能であるならば「０」が格納される一方、複数の特別図柄１８ａ〜ｃの変動開始が不可能であるならば「１」が格納されるようになっている。また、ＲＡＭ６８には、高確率遊技状態が発生している場合において複数の特別図柄１８ａ〜ｃが変動回数する毎に高確率遊技状態が発生した際に設定された所定数から１ずつ減算される変動上限回数カウンタ８０ｌが設けられている。また、ＲＡＭ６８には、高確率遊技状態が条件付であるか否かを示す条件カウンタ８０ｍが設けられている。この条件カウンタ８０ｍは、高確率遊技状態が条件付である場合には「１」が格納される一方、高確率状態が条件付でない場合には「０」が格納されるようになっている。
【００４８】
なお、これらのカウンタ８０ａ〜ｍは、何れも、電源投入時に「０」に設定されるようになっている。
【００４９】
また、ＲＡＭ６８には、複数（本実施形態では５つ）のカウンタ値記憶エリア８２ａ〜ｅが設けられており、遊技球が始動入賞口１２に入賞した際に取得した大当たり判定カウンタ８ａ，大当たり図柄カウンタ８０ｂ，リーチ判定用カウンタ８０ｃの各カウンタ値が一組とされて、始動入賞口１２に入賞した順番でカウンタ値記憶エリア８２ａ側から順次記憶されるようになっている。
【００５０】
また、ＲＯＭ６６には、取得した大当たり判定カウンタ８０ａのカウンタ値が大当たり遊技状態が発生する数値であるか否かの判定を高確率遊技状態が発生していない場合に行う際に用いられる低確率大当たり判定テーブル８４ａが記憶される低確率大当たり判定テーブル記憶エリア８６ａ，取得した大当たり判定カウンタ８０ａのカウンタ値が大当たり遊技状態が発生する数値であるか否かの判定を高確率状態が発生している場合に行う際に用いられる高確率大当たり判定テーブル８４ｂが記憶された高確率大当たり判定テーブル記憶エリア８６ｂ，大当たり図柄組み合わせの選択に用いられる大当たり図柄テーブル８４ｃが記憶される大当たり図柄テーブル記憶エリア８６ｃ，大当たり遊技状態が発生する場合における複数の特別図柄１８ａ〜ｃの変動パターンデータの選択に用いられる大当たり変動パターンテーブル８４ｄが記憶される大当たり変動パターンテーブル記憶エリア８６ｄ，左特別図柄１８ａと右特別図柄１８ｃが同じ場合、即ち、リーチハズレが発生する場合における複数の特別図柄１８ａ〜ｃの変動パターンデータの選択に用いられるリーチハズレ変動パターンテーブル８４ｅが記憶されるリーチハズレ変動パターンテーブル記憶エリア８６ｅ，左特別図柄１８ａと右特別図柄１８ｃが異なる場合、即ち、完全ハズレが発生する場合における複数の特別図柄１８ａ〜ｃの変動パターンデータの選択に用いられる完全ハズレ変動パターンテーブル８４ｆが記憶される完全ハズレ変動パターンテーブル記憶エリア８６ｆ，取得したリーチ判定用カウンタ８０ｃのカウンタ値がリーチハズレが発生する数値であるか否かを判定するリーチハズレ判定テーブル８４ｇが記憶されるリーチハズレ判定テーブル記憶エリア８６ｇ，表示するメッセージの選択に用いられるメッセージテーブル８４ｈが記憶されるメッセージテーブル記憶エリア８６ｈ，左特別図柄１８ａの選択に用いられる左特別図柄テーブル８４ｉが記憶される左特別図柄テーブル記憶エリア８６ｉ，中特別図柄１８ｂの選択に用いられる中特別図柄テーブル８４ｊが記憶される中特別図柄テーブル記憶エリア８６ｊ，右特別図柄１８ｃの選択に用いられる右特別図柄テーブル８４ｋが記憶される右特別図柄テーブル記憶エリア８６ｋ等が設けられている。
【００５１】
次に、各種のテーブル８４ａ〜ｋについて説明する。先ず、図３には、低確率大当たり判定テーブル８４ａが示されている。この低確率大当たり判定テーブル８４ａは、大当たり判定カウンタ８０ａのカウンタ値を示す「カウンタ値」と、このカウンタ値に対応する「大当たり判定」から構成されており、かかる大当たり判定テーブル８４ａと取得した大当たり判定カウンタ８０ａのカウンタ値に基づいて、大当たり遊技状態が発生するか否かを判定するようになっている。そこにおいて、本実施形態では、取得した大当たり判定カウンタ８０ａのカウンタ値が「７」の場合には「大当たり」となり、それ以外の場合には「ハズレ」となる。即ち、本実施形態では、低確率大当たり判定テーブル８４ａを用いた場合の大当たり遊技状態が発生するか否かの抽選確率は、１／３６０とされている。
【００５２】
図４には、高確率大当たり判定テーブル８４ｂが示されている。この高確率大当たり判定テーブル８４ｂは、大当たり判定カウンタ８０ａのカウンタ値を示す「カウンタ値」と、このカウンタ値に対応する「大当たり判定」から構成されており、かかる高確率大当たり判定テーブル８４ｂと取得した大当たり判定カウンタ８０ａのカウンタ値に基づいて、大当たり遊技状態が発生するか否かを判定するようになっている。そこにおいて、本実施形態では、取得した大当たり判定カウンタ８０ａのカウンタ値が「３」，「５」，「７」，「９」，「１１」の何れかである場合には「大当たり」となり、それ以外の場合には「ハズレ」となる。
即ち、本実施形態では、高確率大当たり判定テーブル８４ｂを用いた場合の大当たり遊技状態が発生するか否かの抽選確率は、５／３６０とされている。
【００５３】
図５には、大当たり図柄テーブル８４ｃが示されている。この大当たり図柄テーブル８４ｃは、大当たり図柄カウンタ８０ｂのカウンタ値を示す「カウンタ値」と、このカウンタ値に対応する「大当たり図柄組み合わせ」から構成されており、かかる大当たり図柄テーブル８４ｃと取得した大当たり図柄カウンタ８０ｂのカウンタ値に基づいて、取得した大当たり図柄カウンタ８０ｂのカウンタ値に対応した「大当たり図柄組み合わせ」が選択されるようになっている。そこにおいて、本実施形態では、取得した大当たり図柄カウンタ８０ｂのカウンタ値が、「０」の場合「０００」の大当たり図柄組み合わせが、「１」の場合「１１１」の大当たり図柄組み合わせが、「２」の場合「２２２」の大当たり図柄組み合わせが、「３」の場合「３３３」の大当たり図柄組み合わせが、「４」の場合「４４４」の大当たり図柄組み合わせが、「５」の場合「５５５」の大当たり図柄組み合わせが、「６」の場合「６６６」の大当たり図柄組み合わせが、「７」の場合「７７７」の大当たり図柄組み合わせが、「８」の場合「８８８」の大当たり図柄組み合わせが、「９」の場合「９９９」の大当たり図柄組み合わせが、それぞれ、選択されるようになっている。また、本実施形態では、これらの大当たり図柄組み合わせのうち「１１１」，「３３３」，「５５５」，「７７７」，「９９９」の何れかが選択された場合には、かかる大当たり図柄組み合わせで停止した場合の大当たり遊技状態が終了した後に、高確率遊技状態が発生するようになっている。このことから明らかなように、本実施形態では、「１１１」，「３３３」，「５５５」，「７７７」，「９９９」によって確変図柄組み合わせが構成されている。
【００５４】
図６には、大当たり変動パターンテーブル８４ｄが示されている。この大当たり変動パターンテーブル８４ｄは、変動パターン選択カウンタ８０ｄのカウンタ値を示す「カウンタ値」と、このカウンタ値に対応する「大当たり変動パターン」から構成されており、かかる大当たり変動パターンテーブル８４ｄと取得した変動パターン選択カウンタ８０ｄのカウンタ値に基づいて、取得した変動パターン選択カウンタ８０ｄのカウンタ値に対応した「大当たり変動パターン」が選択されるようになっている。そこにおいて、本実施形態では、取得した変動パターン選択カウンタ８０ｄのカウンタ値が、「０」又は「１」の場合には「ノーマルリーチＡ」が、「２」又は「３」の場合には「ロングリーチＡ」が、「４」又は「５」の場合には「喧嘩凧リーチＡ」が、「６」又は「７」の場合には「連凧リーチＡ」が、それぞれ、選択されるようになっている。
【００５５】
図７には、リーチハズレ変動パターンテーブル８４ｅが示されている。このリーチハズレ変動パターンテーブル８４ｅは、変動パターン選択カウンタ８０ｄのカウンタ値を示す「カウンタ値」と、このカウンタ値に対応する「リーチハズレ変動パターン」から構成されており、かかるリーチハズレ変動パターンテーブル８４ｅと取得した変動パターン選択カウンタ８０ｄのカウンタ値に基づいて、取得した変動パターン選択カウンタ８０ｄのカウンタ値に対応した「リーチハズレ変動パターン」が選択されるようになっている。
【００５６】
そこにおいて、本実施形態では、取得した変動パターン選択カウンタ８０ｄのカウンタ値が、「０」の場合には「ノーマルリーチＢ」が、「１」の場合には「ロングリーチＢ」が、「２」の場合には「ロングリーチＣ」が、「３」の場合には「喧嘩凧リーチＢ」が、「４」の場合には「喧嘩凧リーチＣ」が、「５」の場合には「連凧リーチＢ」が、「６」の場合には「連凧リーチＣ」が、「７」の場合には「連凧リーチＤ」が、それぞれ、選択されるようになっている。なお、「ノーマルリーチＢ」は「ノーマルリーチＡ」よりも変動時間が短いものである。
また、「ロングリーチＢ」および「ロングリーチＣ」は、何れも、「ロングリーチＡ」よりも変動時間が短くなっていると共に、「ロングリーチＢ」の変動時間は「ロングリーチＣ」の変動時間よりも短くなっている。更に、「喧嘩凧リーチＢ」および「喧嘩凧リーチＣ」は、何れも、「喧嘩凧リーチＡ」よりも変動時間が短くなっていると共に、「喧嘩凧リーチＢ」の変動時間は「喧嘩凧リーチＣ」の変動時間よりも短くなっている。更にまた、「連凧リーチＢ」，「連凧リーチＣ」および「連凧リーチＤ」は、何れも、「連凧リーチＡ」よりも変動時間が短くなっていると共に、「連凧リーチＢ」の変動時間は「連凧リーチＣ」の変動時間よりも短くなっており、更に、「連凧リーチＣ」の変動時間は「連凧リーチＤ」の変動時間よりも短くなっている。
【００５７】
図８には、完全ハズレ変動パターンテーブル８４ｆが示されている。この完全ハズレ変動パターンテーブル８４ｆは、変動パターン選択カウンタ８０ｄのカウンタ値を示す「カウンタ値」と、このカウンタ値に対応する「完全ハズレ変動パターン」から構成されており、かかる完全ハズレ変動パターンテーブル８４ｆと取得した変動パターン選択カウンタ８０ｄのカウンタ値に基づいて、取得した変動パターン選択カウンタ８０ｄのカウンタ値に対応した「完全ハズレ変動パターン」が選択されるようになっている。そこにおいて、本実施形態では、取得した変動パターン選択カウンタ８０ｄのカウンタ値が、「０」乃至「７」の何れかである場合には「通常変動パターン」が、選択されるようになっている。
【００５８】
図９には、リーチハズレ判定テーブル８４ｇが示されている。このリーチハズレ判定テーブル８４ｇは、リーチ判定用カウンタ８０ｃのカウンタ値を示す「カウンタ値」と、このカウンタ値に対応する「リーチハズレ判定」から構成されており、かかるリーチハズレ判定テーブル８４ｇと取得したリーチ判定用カウンタ８０ｃのカウンタ値に基づいて、リーチハズレが発生するか否かを判定するようになっている。そこにおいて、本実施形態では、取得したリーチ判定用カウンタ８０ｃのカウンタ値が「７」の場合には「リーチハズレ」となり、それ以外の場合には「完全ハズレ」となる。
【００５９】
図１０には、メッセージテーブル８４ｈが示されている。このメッセージ選択テーブル８４ｈは、変動上限回数カウンタ８０ｌのカウンタ値を示す「カウンタ値」と、このカウンタ値に対応する「表示メッセージ」から構成されており、かかるメッセージテーブル８４ｈと変動上限回数カウンタ８０ｌのカウンタ値に基づいて、表示するメッセージを選択するようになっている。そこにおいて、本実施形態では、変動上限回数カウンタ８０ｌのカウンタ値が「２０」の場合には「ラッキータイム  ２０回転まで確変だよ」という表示メッセージが選択されるようになっている
【００６０】
図１１には、左特別図柄テーブル８４ｉが示されている。この左特別図柄テーブル８４ｉは、左図柄カウンタ８０ｅのカウンタ値を示す「カウンタ値」と、このカウンタ値に対応する「左特別図柄」から構成されており、かかる左特別図柄テーブル８４ｉと取得した左図柄カウンタ８０ｅのカウンタ値に基づいて、取得した左図柄カウンタ８０ｅのカウンタ値に対応した「左特別図柄」が選択されるようになっている。そこにおいて、本実施形態では、取得した左図柄カウンタ８０ｅのカウンタ値が、「０」の場合「０」の左特別図柄が、「１」の場合「１」の左特別図柄が、「２」の場合「２」の左特別図柄が、「３」の場合「３」の左特別図柄が、「４」の場合「４」の左特別図柄が、「５」の場合「５」の左特別図柄が、「６」の場合「６」の左特別図柄が、「７」の場合「７」の左特別図柄が、「８」の場合「８」の左特別図柄が、「９」の場合「９」の左特別図柄が、それぞれ、選択されるようになっている。
【００６１】
図１２には、中特別図柄テーブル８４ｊが示されている。この中特別図柄テーブル８４ｊは、中図柄カウンタ８０ｆのカウンタ値を示す「カウンタ値」と、このカウンタ値に対応する「中特別図柄」から構成されており、かかる中特別図柄テーブル８４ｊと取得した中図柄カウンタ８０ｆのカウンタ値に基づいて、取得した中図柄カウンタ８０ｆのカウンタ値に対応した「中特別図柄」が選択されるようになっている。そこにおいて、本実施形態では、取得した中図柄カウンタ８０ｆのカウンタ値が、「０」の場合「０」の中特別図柄が、「１」の場合「１」の中特別図柄が、「２」の場合「２」の中特別図柄が、「３」の場合「３」の中特別図柄が、「４」の場合「４」の中特別図柄が、「５」の場合「５」の中特別図柄が、「６」の場合「６」の中特別図柄が、「７」の場合「７」の中特別図柄が、「８」の場合「８」の中特別図柄が、「９」の場合「９」の中特別図柄が、それぞれ、選択されるようになっている。
【００６２】
図１３には、右特別図柄テーブル８４ｋが示されている。この右特別図柄テーブル８４ｋは、右図柄カウンタ８０ｇのカウンタ値を示す「カウンタ値」と、このカウンタ値に対応する「右特別図柄」から構成されており、かかる右特別図柄テーブル８４ｋと取得した右図柄カウンタ８０ｇのカウンタ値に基づいて、取得した右図柄カウンタ８０ｇのカウンタ値に対応した「右特別図柄」が選択されるようになっている。そこにおいて、本実施形態では、取得した右図柄カウンタ８０ｇのカウンタ値が、「０」の場合「０」の右特別図柄が、「１」の場合「１」の右特別図柄が、「２」の場合「２」の右特別図柄が、「３」の場合「３」の右特別図柄が、「４」の場合「４」の右特別図柄が、「５」の場合「５」の右特別図柄が、「６」の場合「６」の右特別図柄が、「７」の場合「７」の右特別図柄が、「８」の場合「８」の右特別図柄が、「９」の場合「９」の右特別図柄が、それぞれ、選択されるようになっている。
【００６３】
このようなパチンコ機１０の始動入賞口１２に遊技球が入賞した場合の遊技処理について、図１４に基づいて説明する。先ず、ステップ（以下、Ｓという）１において、ＣＰＵ６４は、始動入賞口１２への遊技球の入賞、即ち、始動口スイッチ４８からの検出信号が入力されたか否かを判定する。検出信号が入力されていない場合（Ｓ１：ＮＯ）には、ＣＰＵ６４は、遊技処理を終了する。
【００６４】
検出信号が入力された場合（Ｓ１：ＹＥＳ）には、ＣＰＵ６４は、Ｓ２において、カウンタ値取得処理を行う。このカウンタ値取得処理は、検出信号が入力された際の大当たり判定カウンタ８０ａ，大当たり図柄カウンタ８０ｂおよびリーチ判定用カウンタ８０ｃの各カウンタ値を内部レジスタに一時的に記憶するものである。
【００６５】
続いて、ＣＰＵ６４は、Ｓ３において、保留カウンタ８０ｈのカウンタ値が４未満であるか否かを確認する。保留カウンタ８０ｈのカウンタ値が４である場合（Ｓ３：ＮＯ）には、ＣＰＵ６４は、Ｓ４において、Ｓ２で取得した各カウンタ値を消去した後、この遊技処理を終了する。保留カウンタ８０ｈのカウンタ値が４未満である場合（Ｓ３：ＹＥＳ）には、ＣＰＵ６４は、Ｓ５において、Ｓ２で取得した各種カウンタ８０ａ〜ｃのカウンタ値をカウンタ値記憶エリア８２ａ〜ｅのうちの空いている記憶エリアに記憶する。そこにおいて、本実施形態では、カウンタ値記憶エリア８２ａの側から順番に記憶していくようになっている。
【００６６】
次に、ＣＰＵ６４は、Ｓ６において、特別図柄表示装置１６にて複数の特別図柄１８ａ〜ｃの変動が可能であるか否かを判定する。この判定は、変動開始可能カウンタ８０ｋのカウンタ値に基づいて行われるものであり、変動開始可能カウンタ８０ｋのカウンタ値が「０」である場合には変動開始可能と判定し、変動開始可能カウンタ８０ｋのカウンタ値が「１」である場合には変動開始不可能と判定するようになっている。
【００６７】
特別図柄表示装置１６にて複数の特別図柄１８ａ〜ｃの変動が可能でない場合（Ｓ６：ＮＯ）には、ＣＰＵ６４は、変動可能になるまで待つ。特別図柄表示装置１６にて複数の特別図柄１８ａ〜ｃの変動が可能である場合（Ｓ６：ＹＥＳ）には、ＣＰＵ６４は、Ｓ７において、変動開始可能カウンタ８０ｋのカウンタ値を「０」から「１」に変更した後、Ｓ８において、高確率遊技状態が発生しているか否かを判定する。この判定は、高確率遊技状態カウンタ８０ｉのカウンタ値に基づいて行われるものであり、高確率遊技状態カウンタ８０ｉのカウンタ値が「０」である場合には高確率遊技状態が発生していないと判定し、「１」である場合には高確率遊技状態が発生していると判定するようになっている。
【００６８】
高確率遊技状態が発生していないと判定した場合（Ｓ８：ＮＯ）には、ＣＰＵ６４は、Ｓ９において、低確率大当たり判定テーブル８４ａをセットした後、Ｓ１５以降の処理を実行する。高確率遊技状態が発生していると判定した場合（Ｓ８：ＹＥＳ）には、ＣＰＵ６４は、Ｓ１０において、高確率遊技状態が発生している状態下での複数の特別図柄１８ａ〜ｃの変動が所定回数に達しているか否かを判定する。この判定は、変動上限回数カウンタ８０ｌのカウンタ値が「０」であるか否かによって判定するものであり、変動上限回数カウンタ８０ｌのカウンタ値が「０」である場合には変動回数が所定回数に達していると判定する一方、変動上限回数カウンタ８０ｌのカウンタ値が「０」以外である場合には変動回数が所定回数に達していないと判定するようになっている。
【００６９】
変動回数が所定回数に達していない場合（Ｓ１０：ＮＯ）には、ＣＰＵ６４は、Ｓ１１において、変動上限回数カウンタ８０ｌのカウンタ値を１減算し、Ｓ１２において、高確率大当たり判定テーブル８４ｂをセットした後、Ｓ１５以降の処理を実行する。変動回数が所定回数に達している場合（Ｓ１０：ＹＥＳ）には、ＣＰＵ６４は、Ｓ１３において、条件カウンタ８０ｍのカウンタ値が「１」であるか否かを判定する。
【００７０】
条件カウンタ８０ｍのカウンタ値が「０」である場合（Ｓ１３：ＮＯ）には、ＣＰＵ６４は、Ｓ１２以降の処理を実行する。条件カウンタ８０ｍのカウンタ値が「１」である場合（Ｓ１３：ＹＥＳ）には、ＣＰＵ６４は、Ｓ１４において、条件カウンタ８０ｍのカウンタ値を「０」にすると共に、高確率遊技状態カウンタ８０ｉのカウンタ値を「０」にするカウンタ値初期化処理を実行した後、Ｓ９以降の処理を実行する。
【００７１】
次に、ＣＰＵ６４は、Ｓ１５において、大当たり遊技状態が発生するか否かを判定する。この判定は、カウンタ値記憶エリア８２ａに記憶された大当たり判定カウンタ８０ａのカウンタ値とＳ９或いはＳ１２でセットされた低確率又は高確率大当たり判定テーブル８４ａ，ｂの何れかに基づいて行われるようになっている。
【００７２】
大当たり遊技状態が発生すると判定された場合（Ｓ１５：ＹＥＳ）には、ＣＰＵ６４は、Ｓ１６において、大当たり変動開始前処理を実行する。この大当たり変動開始前処理は、カウンタ値記憶エリア８２ａに記憶された大当たり図柄カウンタ８０ｂのカウンタ値と大当たり図柄テーブル８４ｃに基づいて大当たり図柄組み合わせを決定し、決定された大当たり図柄組み合わせが確変図柄組み合わせである場合には高確率遊技状態カウンタ８０ｉのカウンタ値を「１」にし、確変図柄組み合わせ以外であれば高確率遊技状態カウンタ８０ｉのカウンタ値を「０」にし、大当たり変動開始前処理をする際の変動パターン選択カウンタ８０ｄのカウンタ値と大当たり変動パターンテーブル８４ｄに基づいて大当たり変動パターンを決定するものである。
【００７３】
次に、ＣＰＵ６４は、Ｓ１７において、大当たり変動処理を実行する。この大当たり変動処理は、表示制御回路７４に対して、決定された大当たり変動パターンに基づく複数の特別図柄１８ａ〜ｃの変動および決定された大当たり図柄組み合わせでの特別図柄１８ａ〜ｃの停止を行わせるものである。
【００７４】
続いて、ＣＰＵは、Ｓ１８において、大当たり遊技状態処理を実行する。この大当たり遊技状態処理は、大入賞口ソレノイド６０への通電を行い、扉５８を開方向に回動せしめることにより、大入賞口５２の入口を開放せしめる一方、大入賞口カウントスイッチ５４および特定領域カウントスイッチ５６がカウントした入賞個数の合計が所定個数（本実施形態では、１０個）に達した場合、或いは、大入賞口５２の開放時間が所定時間（本実施形態では、３０秒）に達した場合には、大入賞口ソレノイド６０への通電を停止し、扉５８を閉方向に回動せしめることにより、大入賞口５２の入口を閉鎖し、更に、大入賞口５２の入口が一回開放されている間に特定領域カウントスイッチ５６が遊技球の通過を検出していた場合に限り、大入賞口５２の入口の開放を所定回数（本実施形態では、１５回）まで繰り返すものである。
【００７５】
次に、ＣＰＵ６４は、Ｓ１９において、条件カウンタ８０ｍのカウンタ値が「１」であるか否かを判定する。条件カウンタ８０ｍのカウンタ値が「１」である場合（Ｓ１９：ＹＥＳ）には、Ｓ２０において、条件カウンタ８０ｍのカウンタ値を「０」にする。
【００７６】
そして、ＣＰＵ６４は、Ｓ２１において、変動開始可能カウンタ８０ｋのカウンタ値を「１」から「０」に変更すると共に、カウンタ値記憶エリア８２ａに記憶されている一組のカウンタ値を消去し、更に、カウンタ値記憶エリア８２ｂ〜ｅのうちの少なくとも一つのカウンタ値記憶エリアに一組のカウンタ値が記憶されている場合には、記憶されている一組のカウンタ値をカウンタ値記憶エリア８２ａ側に一つシフトして記憶する変動後処理を実行した後、遊技処理を終了する。条件カウンタ８０ｍのカウンタ値が「０」である場合（Ｓ１９：ＮＯ）には、ＣＰＵ６４は、Ｓ２１以降の処理を実行する。
【００７７】
大当たり遊技状態が発生しないと判定された場合（Ｓ１５：ＮＯ）には、ＣＰＵ６４は、Ｓ２２において、リーチハズレが発生するか否かを判定する。この判定は、カウンタ値記憶エリア８２ａに記憶されたリーチ判定用カウンタ８０ｃのカウンタ値とリーチハズレ判定テーブル８４ｇに基づいて行われるものである。
リーチハズレが発生すると判定された場合（Ｓ２２：ＹＥＳ）には、ＣＰＵ６４は、Ｓ２３において、リーチハズレ変動開始前処理を実行する。このリーチハズレ変動開始前処理は、リーチハズレ変動開始前処理をする際の左図柄カウンタ８０ｅのカウンタ値と左特別図柄テーブル８４ｉおよびリーチ変動開始前処理をする際の中図柄カウンタ８０ｆのカウンタ値と中特別図柄テーブル８４ｊに基づいてリーチハズレ図柄組み合わせを決定すると共に、リーチハズレ変動開始前処理をする際の変動パターン選択カウンタ８０ｄのカウンタ値とリーチハズレ変動パターンテーブル８４ｅに基づいてリーチハズレ変動パターンを決定するものである。そこにおいて、本実施形態では、リーチハズレは左特別図柄１８ａと右特別図柄１８ｃが同じ図柄とされていることから、右図柄カウンタ８０ｇのカウンタ値と右特別図柄テーブル８４ｋに基づいて右特別図柄１８ｃを決定しないで左図柄カウンタ８０ｅのカウンタ値と左特別図柄テーブル８４ｉに基づいて右特別図柄１８ｃを決定するのである。
【００７８】
続いて、ＣＰＵ６４は、Ｓ２４において、Ｓ２３で選択されたリーチハズレ変動パターンが「ロングリーチＣ」であるか否かを判定する。「ロングリーチＣ」が選択された場合（Ｓ２４：ＹＥＳ）には、ＣＰＵ６４は、Ｓ２５において、選択回数カウンタ８０ｊのカウンタ値を１加算する。次に、ＣＰＵ６４は、Ｓ２６において、選択回数カウンタ８０ｊのカウンタ値が「１０」であるか否か、即ち、リーチハズレ変動パターンとして「ロングリーチＣ」が１０回選択されたか否かを判定する。
【００７９】
選択回数カウンタ８０ｊのカウンタ値が「１０」である場合（Ｓ２６：ＹＥＳ）には、ＣＰＵ６４は、Ｓ２７において、高確率遊技状態カウンタ８０ｉのカウンタ値を「１」にし、変動上限回数カウンタ８０ｌのカウンタ値を「２０」にし、条件カウンタ８０ｍのカウンタ値を「１」にするカウンタ値設定処理を実行した後、Ｓ２８において、選択回数カウンタ８０ｊのカウンタ値を「０」にする。
次に、ＣＰＵ６４は、Ｓ２９において、リーチハズレ変動処理を実行する。このリーチハズレ変動処理は、表示制御回路７４に対して、決定されたリーチハズレ変動パターンに基づく複数の特別図柄１８ａ〜ｃの変動および決定されたリーチハズレ図柄組み合わせでの特別図柄１８ａ〜ｃの停止を行わせるものである。
【００８０】
「ロングリーチＣ」が選択されていない場合（Ｓ２４：ＮＯ）および選択回数カウンタ８０ｊのカウンタ値が「１０」でない場合（Ｓ２６：ＮＯ）には、ＣＰＵ６４は、Ｓ２９以降の処理を実行する。
【００８１】
次に、ＣＰＵ６４は、Ｓ３０において、メッセージを表示する必要があるか否かを判定する。この判定は、変動回数カウンタ８０ｌのカウンタ値に基づいて行われるものであり、変動上限回数カウンタ８０ｌのカウンタ値が「２０」でない場合には表示する必要がないと判定し、「２０」である場合には表示する必要があると判定する。メッセージを表示する必要がないと判定した場合（Ｓ３０：ＮＯ）には、ＣＰＵ６４は、Ｓ２１以降の処理を実行する。メッセージを表示する必要があると判定した場合（Ｓ３０：ＹＥＳ）には、ＣＰＵ６４は、Ｓ３１において、メッセージ表示処理を実行する。このメッセージ表示処理は、表示制御回路７４に対して、Ｓ２７で設定された変動上限回数カウンタ８０ｌのカウンタ値とメッセージテーブル８４ｈに基づいて決定されたメッセージを特別図柄表示装置１６に表示するものである。そして、ＣＰＵ６４は、Ｓ２１以降の処理を実行する。
【００８２】
リーチハズレが発生しないと判定された場合（Ｓ２２：ＮＯ）には、ＣＰＵ６４は、Ｓ３２において、完全ハズレ変動開始前処理を実行する。この完全ハズレ変動開始前処理は、完全ハズレ変動開始前処理をする際の左図柄カウンタ８０ｅのカウンタ値と左特別図柄テーブル８４ｉ，完全ハズレ変動開始前処理をする際の中図柄カウンタ８０ｆのカウンタ値と中特別図柄テーブル８４ｊ，完全ハズレ変動開始前処理をする際の右図柄カウンタ８０ｇのカウンタ値と右特別図柄テーブル８４ｋに基づいて完全ハズレ図柄組み合わせを決定すると共に、完全ハズレ変動開始前処理をする際の変動パターン選択カウンタ８０ｄのカウンタ値と完全ハズレ変動パターンテーブル８４ｆに基づいて完全ハズレ変動パターンを決定するものである。
【００８３】
そして、ＣＰＵ６４は、Ｓ３３において、表示制御回路７４に対して、決定された完全はずれ変動パターンに基づく複数の特別図柄１８ａ〜ｃの変動および決定された完全はずれ図柄組み合わせでの特別図柄１８ａ〜ｃの停止を行わせる完全ハズレ変動処理を実行した後、Ｓ２１以降の処理を実行する。
【００８４】
このような構造とされたパチンコ機１０においては、リーチ変動パターンとして「ロングリーチＣ」が１０回選択された場合（Ｓ２６：ＹＥＳ）には、図１５（ａ）に示されているように、特別図柄表示装置１６にて複数の特別図柄１８ａ〜ｃの変動が開始され、１０回目の「ロングリーチＣ」の変動パターンに基づく変動が終了して、図１５（ｂ）に示されているように、特別図柄１８ａ〜ｃの変動が停止すると（Ｓ２９）、図１５（ｃ）に示されているように、「ラッキータイム  ２０回転まで確変だよ」とのメッセージが表示されるようになっている（Ｓ３１）。
【００８５】
そして、このメッセージが表示されてからの複数の特別図柄１８ａ〜ｃの変動時には、図１５（ｄ）に示されているように、特別図柄表示装置１６の画面右上隅に、あと何回転まで確変状態（高確率遊技状態）であるかを報知するための残り変動数８８が表示されるようになっている。この残り変動数８８は、変動が一回終了する毎に１ずつ減算されていくものである。そこにおいて、本実施形態では、残り変動数８８は、変動上限回数カウンタ８０ｌのカウンタ値に対応するようになっている。
【００８６】
また、本実施形態では、この残り変動数８８が１のとき、即ち、変動上限回数カウンタ８０ｌのカウンタ値が１のときに、複数の特別図柄１８ａ〜ｃが大当たり図柄組み合わせで停止しなかった場合、或いは、残り変動数８８が表示されている際に複数の特別図柄１８ａ〜ｃが大当たり図柄組み合わせで停止した場合には、次回の特別図柄１８ａ〜ｃの変動時において、残り変動数８８が表示されなくなって、遊技者に対して高確率遊技状態が終了したことを知らせるようになっている。
【００８７】
上述の説明から明らかなように、本実施形態では、ＣＰＵ６４とＳ２５によって選択回数計数手段が構成されていると共に、ＣＰＵ６４とＳ１０とＳ１３，ＣＰＵ６４とＳ１５とＳ１９によって存続期間監視手段が構成されている。また、ＣＰＵ６４とＳ２７，ＣＰＵ６４とＳ９，ＣＰＵ６４とＳ１２，ＣＰＵ６４とＳ１４，ＣＰＵ６４とＳ２０によって条件付高確率状態制御手段が構成されている。
【００８８】
さらに、本実施形態では、「ロングリーチＣ」がリーチ変動パターンとして１０回選択され、１０回目の「ロングリーチＣ」のリーチ変動パターンに基づく複数の特別図柄１８ａ〜ｃの変動が停止した後、複数の特別図柄１８ａ〜ｃの変動回数が２０回以内の間は高確率遊技状態が発生する、即ち、期間限定の高確率遊技状態が発生するようになっている。また、本実施形態では、高確率遊技状態とは、取得した大当たり判定カウンタ８０ａと高確率大当たり判定テーブル８４ｂに基づいて大当たり状態が発生するか否かを判定する遊技状態をいい、その結果、複数の特別図柄１８ａ〜ｃが特別図柄組み合わせで停止する確率が高くなるのである。また、本実施形態では、リーチハズレ変動パターンにおける「ロングリーチＣ」によって所定の演出パターンが構成されている。即ち、本実施形態では、複数あるリーチハズレ変動パターンのうちの一つのリーチハズレ変動パターンによって所定の演出パターンが構成されているのである。更に、本実施形態では、ＣＰＵ６４とＲＯＭ６６とＲＡＭ６８を含んで主制御部が構成されている。
【００８９】
このような本実施形態に従う構造とされたパチンコ機１０においては、大当たり遊技状態が発生していないにも拘わらず、高確率遊技状態が発生するようになっていることから、遊技者に遊技に対する興味をもたせて、遊技を継続しようという考えを抱かせることが出来るのである。
【００９０】
そこにおいて、本実施形態では、大当たり遊技状態が発生していないにも拘わらず高確率遊技状態が発生した場合には、その継続期間が制限されていることから、遊技者のみが有利になることはなく、それによって、遊技者と遊技ホールの利益のバランスを確保することが出来るのである。
【００９１】
また、図１６には、本発明の第二の実施形態のパチンコ機に採用される主制御回路９０が示されている。なお、以下の説明において、第一の実施形態と同様な構造とされた部材および部位については、図中に、第一の実施形態と同一の符号を付すことにより、それらの詳細な説明を省略する。
【００９２】
すなわち、本実施形態では、第一の実施形態に比して、ＲＡＭ６８に変動回数カウンタ８０ｎが設けられている。この変動回数カウンタ８０ｎは、大当たり遊技状態が終了した際に設定された値から複数の特別図柄１８ａ〜ｃが変動する毎に１ずつ減算されていくものである。
【００９３】
続いて、第二の実施形態の遊技処理について、図１７に基づいて説明する。先ず、Ｓ４１において、ＣＰＵ６４は、始動入賞口１２への遊技球の入賞、即ち、始動口スイッチ４８からの検出信号が入力されたか否かを判定する。検出信号が入力されていない場合（Ｓ４１：ＮＯ）には、ＣＰＵ６４は、遊技処理を終了する。
【００９４】
検出信号が入力された場合（Ｓ４１：ＹＥＳ）には、ＣＰＵ６４は、Ｓ４２において、カウンタ値取得処理を行う。このカウンタ値取得処理は、検出信号が入力された際の大当たり判定カウンタ８０ａ，大当たり図柄カウンタ８０ｂおよびリーチ判定用カウンタ８０ｃの各カウンタ値を内部レジスタに一時的に記憶するものである。
【００９５】
続いて、ＣＰＵ６４は、Ｓ４３において、保留カウンタ８０ｈのカウンタ値が４未満であるか否かを確認する。保留カウンタ８０ｈのカウンタ値が４である場合（Ｓ３：ＮＯ）には、ＣＰＵ６４は、Ｓ４４において、Ｓ４２で取得した各カウンタ値を消去した後、この遊技処理を終了する。保留カウンタ８０ｈのカウンタ値が４未満である場合（Ｓ４３：ＹＥＳ）には、ＣＰＵ６４は、Ｓ４５において、Ｓ４２で取得した各種カウンタ８０ａ〜ｃのカウンタ値をカウンタ値記憶エリア８２ａ〜ｅのうちの空いている記憶エリアに記憶する。そこにおいて、本実施形態では、カウンタ値記憶エリア８２ａの側から順番に記憶していくようになっている。
【００９６】
次に、ＣＰＵ６４は、Ｓ４６において、特別図柄表示装置１６にて複数の特別図柄１８ａ〜ｃの変動が可能であるか否かを判定する。この判定は、変動開始可能カウンタ８０ｋのカウンタ値に基づいて行われるものであり、変動開始可能カウンタ８０ｋのカウンタ値が「０」である場合には変動開始可能と判定し、変動開始可能カウンタ８０ｋのカウンタ値が「１」である場合には変動開始不可能と判定するようになっている。
【００９７】
特別図柄表示装置１６にて複数の特別図柄１８ａ〜ｃの変動が可能でない場合（Ｓ４６：ＮＯ）には、ＣＰＵ６４は、変動可能になるまで待つ。特別図柄表示装置１６にて複数の特別図柄１８ａ〜ｃの変動が可能である場合（Ｓ４６：ＹＥＳ）には、ＣＰＵ６４は、Ｓ４７において、変動開始可能カウンタ８０ｋのカウンタ値を「０」から「１」に変更した後、Ｓ４８において、高確率遊技状態が発生しているか否かを判定する。この判定は、高確率遊技状態カウンタ８０ｉのカウンタ値に基づいて行われるものであり、高確率遊技状態カウンタ８０ｉのカウンタ値が「０」である場合には高確率遊技状態が発生していないと判定し、「１」である場合には高確率遊技状態が発生していると判定するようになっている。
【００９８】
高確率遊技状態が発生していないと判定した場合（Ｓ４８：ＮＯ）には、ＣＰＵ６４は、Ｓ４９において、低確率大当たり判定テーブル８４ａをセットした後、Ｓ５５以降の処理を実行する。高確率遊技状態が発生していると判定した場合（Ｓ４８：ＹＥＳ）には、ＣＰＵ６４は、Ｓ５０において、高確率遊技状態が発生している状態下での複数の特別図柄１８ａ〜ｃの変動が所定回数に達しているか否かを判定する。この判定は、変動上限回数カウンタ８０ｌのカウンタ値が「０」であるか否かによって判定するものであり、変動上限回数カウンタ８０ｌのカウンタ値が「０」である場合には変動回数が所定回数に達していると判定する一方、変動上限回数カウンタ８０ｌのカウンタ値が「０」以外である場合には変動回数が所定回数に達していないと判定するようになっている。
【００９９】
変動回数が所定回数に達していない場合（Ｓ５０：ＮＯ）には、ＣＰＵ６４は、Ｓ５１において、変動上限回数カウンタ８０ｌのカウンタ値を１減算し、Ｓ５２において、高確率大当たり判定テーブル８４ｂをセットした後、Ｓ５５以降の処理を実行する。変動回数が所定回数に達している場合（Ｓ５０：ＹＥＳ）には、ＣＰＵ６４は、Ｓ５３において、条件カウンタ８０ｍのカウンタ値が「１」であるか否かを判定する。
【０１００】
条件カウンタ８０ｍのカウンタ値が「０」である場合（Ｓ５３：ＮＯ）には、ＣＰＵ６４は、Ｓ５２以降の処理を実行する。条件カウンタ８０ｍのカウンタ値が「１」である場合（Ｓ５３：ＹＥＳ）には、ＣＰＵ６４は、Ｓ５４において、条件カウンタ８０ｍのカウンタ値を「０」にすると共に、高確率遊技状態カウンタ８０ｉのカウンタ値を「０」にするカウンタ値初期化処理を実行した後、Ｓ４９以降の処理を実行する。
【０１０１】
次に、ＣＰＵ６４は、Ｓ５５において、大当たり遊技状態が発生するか否かを判定する。この判定は、カウンタ値記憶エリア８２ａに記憶された大当たり判定カウンタ８０ａのカウンタ値とＳ４９或いはＳ５２でセットされた低確率又は高確率大当たり判定テーブル８４ａ，ｂの何れかに基づいて行われるようになっている。
【０１０２】
大当たり遊技状態が発生すると判定された場合（Ｓ５５：ＹＥＳ）には、ＣＰＵ６４は、Ｓ５６において、大当たり変動開始前処理を実行する。この大当たり変動開始前処理は、カウンタ値記憶エリア８２ａに記憶された大当たり図柄カウンタ８０ｂのカウンタ値と大当たり図柄テーブル８４ｃに基づいて大当たり図柄組み合わせを決定し、決定された大当たり図柄組み合わせが確変図柄組み合わせである場合には高確率遊技状態カウンタ８０ｉのカウンタ値を「１」にし、確変図柄組み合わせ以外であれば高確率遊技状態カウンタ８０ｉのカウンタ値を「０」にし、大当たり変動開始前処理をする際の変動パターン選択カウンタ８０ｄのカウンタ値と大当たり変動パターンテーブル８４ｄに基づいて大当たり変動パターンを決定するものである。
【０１０３】
次に、ＣＰＵ６４は、Ｓ５７において、大当たり変動処理を実行する。この大当たり変動処理は、表示制御回路７４に対して、決定された大当たり変動パターンに基づく複数の特別図柄１８ａ〜ｃの変動および決定された大当たり図柄組み合わせでの特別図柄１８ａ〜ｃの停止を行わせるものである。
【０１０４】
続いて、ＣＰＵは、Ｓ５８において、大当たり遊技状態処理を実行する。この大当たり遊技状態処理は、大入賞口ソレノイド６０への通電を行い、扉５８を開方向に回動せしめることにより、大入賞口５２の入口を開放せしめる一方、大入賞口カウントスイッチ５４および特定領域カウントスイッチ５６がカウントした入賞個数の合計が所定個数（本実施形態では、１０個）に達した場合、或いは、大入賞口５２の開放時間が所定時間（本実施形態では、３０秒）に達した場合には、大入賞口ソレノイド６０への通電を停止し、扉５８を閉方向に回動せしめることにより、大入賞口５２の入口を閉鎖し、更に、大入賞口５２の入口が一回開放されている間に特定領域カウントスイッチ５６が遊技球の通過を検出していた場合に限り、大入賞口５２の入口の開放を所定回数（本実施形態では、１５回）まで繰り返すものである。
【０１０５】
次に、ＣＰＵ６４は、Ｓ５９において、条件カウンタ８０ｍのカウンタ値が「１」であるか否かを判定する。条件カウンタ８０ｍのカウンタ値が「１」である場合（Ｓ５９：ＹＥＳ）には、ＣＰＵ６４は、Ｓ６０において、条件カウンタ８０ｍのカウンタ値を「０」にした後、Ｓ６１において、変動回数カウンタ８０ｎのカウンタ値を「１００」にする。
【０１０６】
そして、ＣＰＵ６４は、Ｓ６２において、表示制御回路７４に対して、所定のメッセージ（本実施形態では、「今から１００回転以内にロングリーチＣのリーチハズレ変動パターンでの変動回数が１０回に達すると確変だよ」）を特別図柄表示装置１６に表示させるメッセージ表示処理を実行する。次に、ＣＰＵ６４は、Ｓ６３において、変動開始可能カウンタ８０ｋのカウンタ値を「１」から「０」に変更すると共に、カウンタ値記憶エリア８２ａに記憶されている一組のカウンタ値を消去し、更に、カウンタ値記憶エリア８２ｂ〜ｅのうちの少なくとも一つのカウンタ値記憶エリアに一組のカウンタ値が記憶されている場合には、記憶されている一組のカウンタ値をカウンタ値記憶エリア８２ａ側に一つシフトして記憶する変動後処理を実行した後、遊技処理を終了する。条件カウンタ８０ｍのカウンタ値が「０」である場合（Ｓ４９：ＮＯ）には、ＣＰＵ６４は、Ｓ６１以降の処理を実行する。
【０１０７】
大当たり遊技状態が発生しないと判定された場合（Ｓ５５：ＮＯ）には、ＣＰＵ６４は、Ｓ６４において、リーチハズレが発生するか否かを判定する。この判定は、カウンタ値記憶エリア８２ａに記憶されたリーチ判定用カウンタ８０ｃのカウンタ値とリーチハズレ判定テーブル８４ｇに基づいて行われるものである。
リーチハズレが発生すると判定された場合（Ｓ６４：ＹＥＳ）には、ＣＰＵ６４は、Ｓ６５において、リーチハズレ変動開始前処理を実行する。このリーチハズレ変動開始前処理は、リーチハズレ変動開始前処理をする際の左図柄カウンタ８０ｅのカウンタ値と左特別図柄テーブル８４ｉおよびリーチ変動開始前処理をする際の中図柄カウンタ８０ｆのカウンタ値と中特別図柄テーブル８４ｊに基づいてリーチハズレ図柄組み合わせを決定すると共に、リーチハズレ変動開始前処理をする際の変動パターン選択カウンタ８０ｄのカウンタ値とリーチハズレ変動パターンテーブル８４ｅに基づいてリーチハズレ変動パターンを決定するものである。そこにおいて、本実施形態では、リーチハズレは左特別図柄１８ａと右特別図柄１８ｃが同じ図柄とされていることから、右図柄カウンタ８０ｇのカウンタ値と右特別図柄テーブル８４ｋに基づいて右特別図柄１８ｃを決定しないで左図柄カウンタ８０ｅのカウンタ値と左特別図柄テーブル８４ｉに基づいて右特別図柄１８ｃを決定するのである。
【０１０８】
続いて、ＣＰＵ６４は、Ｓ６６において、Ｓ６５で選択されたリーチハズレ変動パターンが「ロングリーチＣ」であるか否かを判定する。「ロングリーチＣ」が選択された場合（Ｓ６６：ＹＥＳ）には、ＣＰＵ６４は、Ｓ６７において、選択回数カウンタ８０ｊのカウンタ値を１加算する。次に、ＣＰＵ６４は、Ｓ６８において、選択回数カウンタ８０ｊのカウンタ値が「１０」であるか否か、即ち、リーチハズレ変動パターンとして「ロングリーチＣ」が１０回選択されたか否かを判定する。
【０１０９】
選択回数カウンタ８０ｊのカウンタ値が「１０」である場合（Ｓ６８：ＹＥＳ）には、ＣＰＵ６４は、Ｓ６９において、高確率遊技状態カウンタ８０ｉのカウンタ値を「１」に、変動上限回数カウンタ８０ｌのカウンタ値を「２０」に、条件カウンタ８０ｍのカウンタ値を「１」にするカウンタ値設定処理を実行する。続いて、ＣＰＵ６４は、Ｓ７０において、選択回数カウンタ８０ｊのカウンタ値を「０」にした後、Ｓ７１において、変動回数カウンタ８０ｎのカウンタ値を「０」にする。次に、ＣＰＵ６４は、Ｓ７２において、リーチハズレ変動処理を実行する。このリーチハズレ変動処理は、表示制御回路７４に対して、決定されたリーチハズレ変動パターンに基づく複数の特別図柄１８ａ〜ｃの変動および決定されたリーチハズレ図柄組み合わせでの特別図柄１８ａ〜ｃの停止を行わせるものである。
【０１１０】
「ロングリーチＣ」が選択されていない場合（Ｓ６６：ＮＯ）および選択回数カウンタ８０ｊのカウンタ値が「１０」でない場合（Ｓ６８：ＮＯ）には、ＣＰＵ６４は、Ｓ７２以降の処理を実行する。
【０１１１】
次に、ＣＰＵ６４は、Ｓ７３において、メッセージを表示する必要があるか否かを判定する。この判定は、変動上限カウンタ８０ｌのカウンタ値に基づいて行われるものであり、変動上限カウンタ８０ｌのカウンタ値が「２０」でない場合には表示する必要がないと判定し、「２０」である場合には表示する必要があると判定する。メッセージを表示する必要がないと判定した場合（Ｓ７３：ＮＯ）には、ＣＰＵ６４は、Ｓ７４において、変動回数カウンタ８０ｎのカウンタ値が「０」であるか否かを判定する。
【０１１２】
変動回数カウンタ８０ｎのカウンタ値が「０」である場合（Ｓ７４：ＹＥＳ）には、ＣＰＵ６４は、Ｓ７５において、選択回数カウンタ８０ｊのカウンタ値を「０」にした後、Ｓ６３以降の処理を実行する。変動回数カウンタ８０ｎのカウンタ値が「０」でない場合（Ｓ７４：ＮＯ）には、ＣＰＵ６４は、Ｓ７６において、変動回数カウンタ８０ｎのカウンタ値を１減算した後、Ｓ６３以降の処理を実行する。
【０１１３】
メッセージを表示する必要があると判定した場合（Ｓ７３：ＹＥＳ）には、ＣＰＵ６４は、Ｓ７７において、メッセージ表示処理を実行する。このメッセージ表示処理は、表示制御回路７４に対して、設定された変動上限回数カウンタ８０ｌのカウンタ値とメッセージテーブル８４ｈに基づいて決定されたメッセージを特別図柄表示装置１６に表示するものである。そして、ＣＰＵ６４は、Ｓ６３以降の処理を実行する。
【０１１４】
リーチハズレが発生しないと判定された場合（Ｓ６４：ＮＯ）には、ＣＰＵ６４は、Ｓ７８において、完全ハズレ変動開始前処理を実行する。この完全ハズレ変動開始前処理は、完全ハズレ変動開始前処理をする際の左図柄カウンタ８０ｅのカウンタ値と左特別図柄テーブル８４ｉ，完全ハズレ変動開始前処理をする際の中図柄カウンタ８０ｆのカウンタ値と中特別図柄テーブル８４ｊ，完全ハズレ変動開始前処理をする際の右図柄カウンタ８０ｇのカウンタ値と右特別図柄テーブル８４ｋに基づいて完全ハズレ図柄組み合わせを決定すると共に、完全ハズレ変動開始前処理をする際の変動パターン選択カウンタ８０ｄのカウンタ値と完全ハズレ変動パターンテーブル８４ｆに基づいて完全ハズレ変動パターンを決定するものである。
【０１１５】
そして、ＣＰＵ６４は、Ｓ７９において、表示制御回路７４に対して、決定された完全はずれ変動パターンに基づく複数の特別図柄１８ａ〜ｃの変動および決定された完全はずれ図柄組み合わせでの特別図柄１８ａ〜ｃの停止を行わせる完全ハズレ変動処理を実行した後、Ｓ７４以降の処理を実行する。
【０１１６】
このような構造とされたパチンコ機においては、大当たり遊技状態が終了すると（Ｓ５８）、図１８（ａ）に示されているように、「今から１００回転以内にロングリーチＣのリーチハズレ変動パターンでの変動回数が１０回に達すると確変だよ」とのメッセージが表示されるようになっている（Ｓ６２）。
【０１１７】
そして、このメッセージが表示されてからの複数の特別図柄１８ａ〜ｃの変動時には、図１８（ｂ）に示されているように、特別図柄表示装置１６の画面左上隅に、あと何回転以内にロングリーチＣのリーチハズレ変動パターンでの変動が１０回に達すれば確変状態（高確率遊技状態）が確定するかを報知するための残り変動回数９２が表示されるようになっている。この残り変動回数９２は、変動が一回終了する毎に１ずつ減算されていくものである。そこにおいて、本実施形態では、残り変動回数９２は、変動回数カウンタ８０ｎのカウンタ値に対応するようになっている。
【０１１８】
また、本実施形態では、この残り変動回数９２が１のとき、即ち、変動回数カウンタ８０ｎのカウンタ値が１のときまでに、「ロングリーチＣ」での変動が１０回行われなかった場合、或いは、残り変動回数９２が表示されている際に「ロングリーチＣ」での変動が１０回行われた場合には、次回の特別図柄１８ａ〜ｃの変動時において、残り変動回数９２が表示されなくなる。そして、ロングリーチＣでの変動が１０回行われた場合には、第一の実施形態と同様に、所定のメッセージが表示されるようになっている。
【０１１９】
上述の説明から明らかなように、本実施形態では、ＣＰＵ６４とＳ６７によって選択回数計数手段が構成されていると共に、ＣＰＵ６４とＳ５０とＳ５３，ＣＰＵ６４とＳ５５とＳ５９によって存続期間監視手段が構成されている。また、ＣＰＵ６４とＳ６９，ＣＰＵ６４とＳ４９，ＣＰＵ６４とＳ５２，ＣＰＵ６４とＳ５４，ＣＰＵ６４とＳ６０によって条件付高確率状態制御手段が構成されている。更に、ＣＰＵ６４とＳ７６によって変動回数計数手段が構成されていると共に、ＣＰＵ６４とＳ７５によって選択回数初期化手段が構成されている。
【０１２０】
さらに、本実施形態では、大当たり遊技状態が発生してからの複数の特別図柄１８ａ〜ｃの変動回数が１００回以内に「ロングリーチＣ」がリーチハズレ変動パターンとして１０回選択されると、１０回目の「ロングリーチＣ」のリーチハズレ変動パターンに基づく複数の特別図柄１８ａ〜ｃの変動が停止した後、複数の特別図柄１８ａ〜ｃの変動回数が２０回以内の間は高確率遊技状態が発生する、即ち、期間限定の高確率遊技状態が発生するようになっている。また、本実施形態では、高確率遊技状態とは、取得した大当たり判定カウンタ８０ａと高確率大当たり判定テーブル８４ｂに基づいて大当たり状態が発生するか否かを判定する遊技状態をいい、その結果、複数の特別図柄１８ａ〜ｃが特別図柄組み合わせで停止する確率が高くなるのである。また、本実施形態では、リーチハズレ変動パターンにおける「ロングリーチＣ」によって所定の演出パターンが構成されている。即ち、本実施形態では、複数あるリーチハズレ変動パターンのうちの一つのリーチハズレ変動パターンによって所定の演出パターンが構成されているのである。更に、本実施形態では、ＣＰＵ６４とＲＯＭ６６とＲＡＭ６８を含んで主制御部が構成されている。
【０１２１】
このような本実施形態に従う構造とされたパチンコ機においては、大当たり遊技状態が発生していないにも拘わらず、高確率遊技状態が発生するようになっていることから、遊技者に遊技に対する興味をもたせて、遊技を継続しようという考えを抱かせることが出来るのである。
【０１２２】
そこにおいて、本実施形態では、大当たり遊技状態が発生していないにも拘わらず高確率遊技状態が発生した場合には、その継続期間が制限されていることから、遊技者のみが有利になることはなく、それによって、遊技者と遊技ホールの利益のバランスを確保することが出来るのである。
【０１２３】
以上、本発明の一実施形態について詳述してきたが、これはあくまでも例示であって、本発明は、かかる実施形態における具体的な記載によって、何等、限定的に解釈されるものではない。
【０１２４】
例えば、前記第二の実施形態では、大当たり遊技状態が終了した後の複数の特別図柄１８ａ〜ｃの変動回数が１００回に達するまでの間にロングリーチＣでの変動が１０回行われなければ、次に大当たり遊技状態が発生するまで、期間が限定された高確率遊技状態が発生することはないが、大当たり遊技状態が終了した後の複数の特別図柄１８ａ〜ｃの変動回数が１００回に達した場合には、そこから複数の特別図柄１８ａ〜ｃの変動回数が１００回に達するまでの間にロングリーチＣでの変動が１０回行われれば、期間が限定された高確率遊技状態が発生するようにすることも可能である。
【０１２５】
また、前記第一および第二の実施形態では、ロングリーチＣが１０回選択されると高確率遊技状態が発生するようになっていたが、期間限定の高確率遊技状態を発生させるために所定回数選択される必要がある変動パターンは、複数あっても良い。そこにおいて、所定回数選択される必要がある変動パターンが複数ある場合には、選択される変動パターンによって、高確率遊技状態の存続期間を変化することも可能である。更に、期間限定の高確率遊技状態を発生させるために所定回数選択される変動パターンは、リーチハズレ変動パターンだけでなく、完全ハズレ変動パターンであっても良い。そこにおいて、完全ハズレ変動パターンを利用する場合には、完全ハズレ変動パターンが複数あることが望ましい。
【０１２６】
さらに、変動パターンが選択される回数，期間限定の高確率状態の存続期間となる高確率遊技状態が発生してからの複数の変動図柄の変動上限回数等は、前記第一および第二の実施形態のものに限定されない。また、大当たり遊技状態が終了してからの複数の変動図柄の変動上限回数は、前記第二の実施形態に限定されない。
【０１２７】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【０１２８】
【発明の効果】
上述の説明から明らかなように、本発明に従う構造とされた遊技機においては、特別遊技状態が発生していないにも拘わらず、高確率状態が発生するようになっており、それによって、遊技者に遊技に対する興味を与えることが可能となって、遊技者に遊技を継続しようという考えを惹起せしめることが可能となる。
【図面の簡単な説明】
【図１】本発明の一実施形態としてのパチンコ機の正面図である。
【図２】図１に示されたパチンコ機の主制御回路を示すブロック図である。
【図３】取得した大当たりカウンタのカウンタ値に基づいて低確率遊技状態下で大当たり遊技状態が発生するか否かを判定する際に用いられる低確率大当たり判定テーブルの一具体例を示す図である。
【図４】取得した大当たりカウンタのカウンタ値に基づいて高確率遊技状態下で大当たり遊技状態が発生するか否かを判定する際に用いられる高確率大当たり判定テーブルの一具体例を示す図である。
【図５】取得した大当たり図柄カウンタのカウンタ値に基づいて大当たり図柄組み合わせを選択する際に用いられる大当たり図柄テーブルの一具体例を示す図である。
【図６】取得した変動パターン選択カウンタのカウンタ値に基づいて大当たり変動パターンを選択する際に用いられる大当たり変動パターンテーブルの一具体例を示す図である。
【図７】取得した変動パターン選択カウンタのカウンタ値に基づいてリーチハズレ変動パターンを選択する際に用いられるリーチハズレ変動パターンテーブルの一具体例を示す図である。
【図８】取得した変動パターン選択カウンタのカウンタ値に基づいて完全ハズレ変動パターンを選択する際に用いられる完全ハズレ変動パターンテーブルの一具体例を示す図である。
【図９】取得したリーチ判定用カウンタのカウンタ値に基づいてリーチハズレが発生するか否かを判定する際に用いられるリーチハズレ判定テーブルの一具体例を示す図である。
【図１０】変動上限回数カウンタのカウンタ値に基づいて表示するメッセージを選択する際に用いられるメッセージ選択テーブルの一具体例を示す図である。
【図１１】取得した左図柄カウンタのカウンタ値に基づいて左特別図柄を選択する際に用いられる左特別図柄テーブルの一具体例を示す図である。
【図１２】取得した中図柄カウンタのカウンタ値に基づいて中特別図柄を選択する際に用いられる中特別図柄テーブルの一具体例を示す図である。
【図１３】取得した右図柄カウンタのカウンタ値に基づいて右特別図柄を選択する際に用いられる右特別図柄テーブルの一具体例を示す図である。
【図１４】図１に示されたパチンコ機の遊技処理を示すフローチャートである。
【図１５】図１に示されたパチンコ機における期間限定の高確率遊技状態が発生した場合の特別図柄表示装置の表示態様の一具体例を説明する図面である。
【図１６】本発明の第二の実施形態のパチンコ機に採用される主制御回路を示すブロック図である。
【図１７】第二の実施形態での遊技処理を示すフローチャートである。
【図１８】第二の実施形態での大当たり遊技状態が終了した後の特別図柄表示装置の表示態様の一具体例を説明する図面である。
【符号の説明】
１０  パチンコ機
１２  始動入賞口
１４  遊技領域
１６  特別図柄表示装置
１８  特別図柄
６４  ＣＰＵ
【図１】
2004275356.tif 000003
【図２】
2004275356.tif 000004
【図３】
2004275356.tif 000005
【図４】
2004275356.tif 000006
【図５】
2004275356.tif 000007
【図６】
2004275356.tif 000008
【図７】
2004275356.tif 000009
【図８】
2004275356.tif 000010
【図９】
2004275356.tif 000011
【図１０】
2004275356.tif 000012
【図１１】
2004275356.tif 000013
【図１２】
2004275356.tif 000014
【図１３】
2004275356.tif 000015
【図１４】
2004275356.tif 000016
【図１５】
2004275356.tif 000017
【図１６】
2004275356.tif 000018
【図１７】
2004275356.tif 000019
【図１８】
2004275356.tif 000020